(57)【要約】【課題】吐出速度を同じにしたまま吐出量を変化できるようにする。【解決手段】駆動波形ＰＶは、液体を吐出する吐出パルスＰ２〜Ｐ４を含み、吐出パルスＰ４は膨張波形要素ａ２と、保持波形要素ｂ２と、収縮波形要素ｃ２と、保持波形要素ｄ２と、膨張波形要素ｅ２とを含み、吐出パルスＰ４の膨張波形要素ａ２による立下り電位Ｖａと収縮波形要素ｃ２による立ち上がり電位Ｖｈとの差を波高値Ｖ１とするとき、波高値Ｖ１を変化させないで、膨張波形要素ｅ２による立下り電位Ｖａを電位Ｖａ１、Ｖａ２、Ｖａ３と変化させる。【選択図】図８
2018001734.tif 000002
【特許請求の範囲】
【請求項１】
液体吐出ヘッドから液体を吐出させる駆動波形を生成して出力する装置であって、
少なくとも、中間電位から立下がって前記液体吐出ヘッドの個別液室を膨張させる膨張波形要素と、前記膨張波形要素の立下り電位から立ち上がって前記膨張波形要素で膨張された前記個別液室を収縮させて液体を吐出させる収縮波形要素と、を含む駆動信号を生成する手段と、
前記駆動信号の前記収縮波形要素の波高値を変えないで、前記膨張波形要素の立下り電位を変化させる手段と、を備えている
ことを特徴とする駆動波形生成装置。
【請求項２】
１駆動周期内において、時系列で、複数の前記駆動信号を含む駆動波形を生成し、
複数の前記駆動信号は、１又は２以上の前記駆動信号が選択されることで異なる大きさの液滴を形成する駆動信号であり、
複数の前記駆動信号の内の少なくとも１つの前記駆動信号について、前記収縮波形要素の波高値を変えないで、前記膨張波形要素の立下り電位を変化させる
ことを特徴とする請求項１に記載の駆動波形生成装置。
【請求項３】
前記膨張波形要素の立下り電位を変化させる前記駆動信号は、前記液体の吐出に係る駆動信号のうち時系列で最終段の前記駆動信号である
ことを特徴とする請求項２に記載の駆動波形生成装置。
【請求項４】
前記膨張波形要素の立下り電位を変化させる前記駆動信号は、２以上の異なる大きさの液滴を形成するときに共通して選択される前記駆動信号である
ことを特徴とする請求項２に記載の駆動波形生成装置。
【請求項５】
液体を吐出する液体吐出ヘッドと、
請求項１ないし４のいずれかに記載の駆動波形生成装置と、を備えている
ことを特徴とする液体を吐出する装置。
【請求項６】
前記膨張波形要素の立下り電位を変化させる手段は、前記液体が付与される付与部材の種別に応じて、前記膨張波形要素の立下り電位を変化させる
ことを特徴とする請求項５に記載の液体を吐出する装置。
【請求項７】
前記膨張波形要素の立下り電位を変化させる手段は、予め前記付与部材の種別と前記膨張波形要素の立下り電位とを関連つけたテーブルを備えている
ことを特徴とする請求項６に記載の液体を吐出する装置。
【請求項８】
液体吐出ヘッドから液体を吐出させる駆動信号を生成出力し、前記駆動信号を前記液体吐出ヘッドに与えて液体を吐出させるヘッド駆動方法であって、
少なくとも、中間電位から立下がって前記液体吐出ヘッドの個別液室を膨張させる膨張波形要素と、前記膨張波形要素の立下り電位から立ち上がって前記膨張波形要素で膨張された前記個別液室を収縮させて液体を吐出させる収縮波形要素と、を含む駆動信号を生成し、
前記駆動信号の前記収縮波形要素の波高値を変えないで、前記膨張波形要素の立下り電位を変化させる
ことを特徴とするヘッド駆動方法。
【発明の詳細な説明】
【技術分野】
【０００１】
本発明は駆動波形生成装置、液体を吐出する装置、ヘッド駆動方法に関する。
【背景技術】
【０００２】
液体を吐出する液体吐出ヘッドを駆動制御する場合、１駆動周期内で液体を吐出させる１又は複数の駆動信号（駆動パルス）を含む駆動波形を生成出力して液体吐出ヘッドの圧力発生手段に与えるものがある。
【０００３】
従来、記録媒体の種類を選択する記録媒体選択手段と、複数の画像濃度を選択する画像濃度選択手段とに基づいた信号に応じて、インク滴の吐出量が一定で、吐出速度の異なる複数の駆動電圧信号から適切な駆動電圧信号を選択する駆動電圧信号選択手段を有するインクジェット記録装置が知られている（特許文献１）。
【先行技術文献】
【特許文献】
【０００４】
【特許文献１】特開平０８−１９２５１２号公報
【発明の概要】
【発明が解決しようとする課題】
【０００５】
ところで、液体を付与する付与部材である印刷媒体などの種別（種類）によって、同じ液体量（吐出量）の液体を付与しても、形成されるドット径（ドットゲイン）が異なるという課題がある。
【０００６】
この場合、吐出速度を変化させてドット径を制御すると、吐出速度を速くしたときにはサテライトが増加し、吐出速度を遅くしたときには着弾位置精度が低下することになる。
【０００７】
本発明は上記の課題に鑑みてなされたものであり、吐出速度を同じにしたまま吐出量を変化できるようにすることを目的とする。
【課題を解決するための手段】
【０００８】
上記の課題を解決するため、本発明に係る駆動波形生成装置は、
液体吐出ヘッドから液体を吐出させる駆動波形を生成して出力する装置であって、
少なくとも、中間電位から立下がって前記液体吐出ヘッドの個別液室を膨張させる膨張波形要素と、前記膨張波形要素の立下り電位から立ち上がって前記膨張波形要素で膨張された前記個別液室を収縮させて液体を吐出させる収縮波形要素と、を含む駆動信号を生成する手段と、
前記駆動信号の前記収縮波形要素の波高値を変えないで、前記膨張波形要素の立下り電位を変化させる手段と、を備えている
構成とした。
【０００９】
本発明によれば、吐出速度を同じにしたまま吐出量を変化できる。
【図面の簡単な説明】
【００１０】
【図１】本発明に係る液体を吐出する装置の一例を示す側面説明図である。
【図２】液体吐出ユニットの要部平面説明図である。
【図３】液体吐出ヘッドの一例を示す液室長手方向の断面説明図である。
【図４】同じく液体吐出動作の説明に供する断面説明図である。
【図５】同装置の制御部の概要を示すブロック説明図である。
【図６】同制御部のヘッド駆動制御に係る部分の一例のブロック説明図である。
【図７】本発明の第１実施形態における駆動波形と非吐出駆動波形及び吐出駆動波形の一例の説明図である。
【図８】同駆動波形の詳細の説明に供する説明図である。
【図９】同駆動波形の吐出パルスの収縮波形要素の波高値を変えないで膨張波形要素の立下り電位を変化させた駆動波形の異なる例の説明に供する説明図である。
【図１０】液体を吐出する装置における第１実施形態の各駆動波形の適用例の説明に供する媒体種別とドット径（ドットゲイン）の説明図である。
【図１１】媒体種別の判別による駆動波形の生成の説明に供する説明図である。
【発明を実施するための形態】
【００１１】
以下、本発明の実施の形態について添付図面を参照して説明する。まず、本発明に係る液体を吐出する装置の一例について図１を参照して説明する。図１は同装置の概略説明図である。
【００１２】
この液体を吐出する装置は、フルライン型ヘッドを備える装置であり、装置本体１と乾燥時間を稼ぐ出口ユニット２とを並置している。
【００１３】
この装置においては、液体が付着するものである媒体１０として連続紙を使用している。媒体１０は、元巻きローラ１１から巻き出され、搬送ローラ１２〜１８によって搬送されて、巻取りローラ２１にて巻き取られる。なお、本発明を適用する装置はシート状媒体を使用するものでもよい。
【００１４】
この媒体１０は、搬送ローラ１３と搬送ローラ１４との間で、搬送ガイド部材１９上を液体吐出ユニット５に対向して搬送され、液体吐出ユニット５から吐出される液体によって画像が形成される。
【００１５】
ここで、液体吐出ユニット５には、例えば、媒体搬送方向上流側から、４色分のフルライン型ヘッドユニット５１Ｄ、５１Ｃ、５１Ｍ、５１Ｙ（以下、色の区別しないときは「ヘッドユニット５１」という。）が配置されている。各ヘッドユニット５１は、それぞれ、搬送される付与部材である媒体１０に対してブラックＤ，シアンＣ、マゼンタＭ、イエローＹの液体を吐出して付与する。なお、色の種類及び数はこれに限るものではない。
【００１６】
ヘッドユニット５１は、例えば、図２に示すように、複数の液体吐出ヘッド（これを、単に「ヘッド」ともいう。）１００をベース部材５２上に千鳥状に並べてヘッドアレイとしたものを使用しているが、これに限らない。また、ヘッドユニット５１は、液体吐出ヘッドとこの液体吐出ヘッドに液体供給するヘッドタンクとで構成しているが、これに限るものではなく、液体吐出ヘッド単独の構成でもよい。
【００１７】
次に、ヘッドユニットを構成する１つの液体吐出ヘッドの一例について図３及び図４を参照して説明する。図３は同ヘッドのノズル配列方向と直交する方向（液室長手方向）の断面説明図、図４は同じくノズル配列方向（液室短手方向）の断面説明図である。
【００１８】
この液体吐出ヘッドは、ノズル板１０１と、流路板１０２と、振動板部材１０３とを接合している。そして、振動板部材１０３を変位させる圧電アクチュエータ１１１と、共通流路部材としてフレーム部材１２０とを備えている。
【００１９】
これにより、液滴を吐出する複数のノズル１０４に通じる個別液室（圧力室、加圧室などとも称される。）１０６、個別液室１０６に液体を供給する流体抵抗部を兼ねた液体供給路１０７と、液体供給路１０７に通じる液導入部１０８とを形成している。隣り合う個別液室１０６はノズル配列方向で隔壁１０６Ａによって隔てられている。
【００２０】
そして、フレーム部材１２０の共通流路としての共通液室１１０から振動板部材１０３に形成したフィルタ部１０９を通じて、液導入部１０８、液体供給路１０７を経て複数の個別液室１０６に液体を供給する。
【００２１】
圧電アクチュエータ１１１は、振動板部材１０３の個別液室１０６の壁面を形成する変形可能な振動領域１３０を挟んで、個別液室１０６とは反対側に配置されている。
【００２２】
この圧電アクチュエータ１１１は、ベース部材１１３上に接合した複数の積層型圧電部材１１２を有している。圧電部材１１２にはハーフカットダイシングによって溝加工して、駆動波形を与える柱状の圧電素子（圧電柱）１１２Ａと、支柱１１２Ｂを所定の間隔で櫛歯状に形成している。
【００２３】
そして、圧電素子１１２Ａを振動板部材１０３の振動領域１３０に形成した島状の凸部１０３ａに接合している。また、支柱１１２Ｂを振動板部材１０３の凸部１０３ｂに接合している。
【００２４】
この圧電部材１１２は、圧電層と内部電極とを交互に積層したものであり、内部電極がそれぞれ端面に引き出されて外部電極が設けられ、圧電素子１１２Ａの外部電極に駆動波形を与えるための可撓性を有するフレキシブル配線基板としてのＦＰＣ１１５が接続されている。
【００２５】
フレーム部材１２０には、ヘッドタンクや液体カートリッジから液体が供給される共通液室１１０が形成されている。
【００２６】
このように構成した液体吐出ヘッドにおいては、例えば圧電素子１１２Ａに印加する電圧を中間電位Ｖｅから下げることによって圧電素子１１２Ａが収縮し、振動板部材１０３の振動領域１３０が下降して個別液室１０６の容積が膨張することで、個別液室１０６内に液体が流入する。
【００２７】
その後、圧電素子１１２Ａに印加する電圧を上げて圧電素子１１２Ａを積層方向に伸長させ、振動板部材１０３の振動領域１３０をノズル１０４方向に変形させて個別液室１０６の容積を収縮させる。これにより、個別液室１０６内の液体が加圧され、ノズル１０４から液体が吐出（噴射）される。
【００２８】
そして、圧電素子１１２Ａに印加する電圧を基準電位に戻すことによって振動板部材１０３の振動領域１３０が初期位置に復元し、個別液室１０６が膨張して負圧が発生するので、共通液室１１０から液体供給路１０７を通じて個別液室１０６内に液体が充填される。そこで、ノズル１０４のメニスカス面の振動が減衰して安定した後、次の吐出のための動作に移行する。
【００２９】
次に、この装置の制御部の概要について図５を参照して説明する。なお、図５は同制御部のブロック説明図である。
【００３０】
この制御部は、この装置全体の制御を司るＣＰＵ５１１、ＲＯＭ５１２、ＲＡＭ５１３、Ｉ／Ｏななどを含むマイクロコンピュータと、画像メモリと、通信インタフェースなどで構成した主制御部（システムコントローラ）５０１を備えている。
【００３１】
主制御部５０１は、外部の情報処理装置（ホスト側）などから転送される画像データ及び各種コマンド情報に基づいて媒体に画像を形成するために、印刷制御部５０２に印刷用データを送出する。
【００３２】
印刷制御部５０２は、主制御部５０１から受領した画像データをシリアルデータで転送するとともに、この画像データの転送及び転送の確定などに必要な転送クロックやラッチ信号、制御信号などをヘッドドライバ５０３に出力する。
【００３３】
また、印刷制御部５０２は、内部ＲＯＭに格納されている共通駆動波形のパターンデータをＤ／Ａ変換するＤ／Ａ変換器及び電圧増幅器、電流増幅器等で構成される駆動波形生成部を含み、１又は複数の駆動パルス（駆動信号）で構成される駆動波形をヘッドドライバ５０３に対して出力する。
【００３４】
ヘッドドライバ５０３は、シリアルに入力される１つのヘッドユニット５１に相当する画像データに基づいて印刷制御部５０２から与えられる駆動波形を構成する駆動パルスを選択して圧力発生手段としての圧電素子１１２Ａに対して与えて液体を吐出させる。このとき、駆動波形を構成するパルスの一部又は全部或いはパルスを形成する波形要素の全部又は一部を選択することによって、例えば、大滴、中滴、小滴など、大きさの異なるドットを打ち分けることができる。
【００３５】
また、主制御部５０１は、モータドライバ５０４を介して、元巻きローラ１１、搬送ローラ１２〜１８、巻取りローラ２１などの各ローラ類５１０を駆動制御する。
【００３６】
また、主制御部５０１には各種センサからなるセンサ群５０６からの検出信号が入力され、また、操作部５０７との間で各種情報の入出力及び表示情報のやり取りを行う。
【００３７】
次に、ヘッド駆動制御に係る部分の一例について図６のブロック説明図を参照して説明する。
【００３８】
印刷制御部５０２は、本発明に係る駆動波形生成装置としての駆動波形生成部７０１を含んでいる。また、印刷画像に応じた２ビットの画像データ（階調信号０、１）と、クロック信号、ラッチ信号、駆動波形を構成する駆動パルスを選択する選択信号（滴制御信号）１〜４を出力するデータ転送部７０２を含んでいる。
【００３９】
ここで、駆動波形生成部７０１からは、１印刷周期（１駆動周期）内に、液体を吐出させる１又は複数の駆動パルス（駆動信号）が時系列で配置された駆動波形ＰＶが生成出力される。
【００４０】
なお、選択信号１〜４は、ヘッドドライバ５０３のスイッチ手段であるアナログスイッチＡＳの開閉を滴毎に指示する信号である。駆動波形ＰＶの印刷周期（駆動周期）に合わせて選択すべき駆動パルス（又は波形要素で）Ｈレベル（ＯＮ）に状態遷移し、非選択時にはＬレベル（ＯＦＦ）に状態遷移する。
【００４１】
ヘッドドライバ５０３は、シフトレジスタ７１１と、ラッチ回路７１２と、デコーダ７１３と、レベルシフタ７１４と、アナログスイッチアレイ７１５とを備えている。
【００４２】
シフトレジスタ７１１は、データ転送部７０２からの転送クロック（シフトクロック）及びシリアル画像データ（階調データ：２ビット／１チャンネル（１ノズル）を入力する。ラッチ回路７１２は、シフトレジスタ７１１の各レジスト値をラッチ信号によってラッチする。
【００４３】
デコーダ７１３は、階調データと選択信号をデコードして結果を出力する。レベルシフタ７１４は、デコーダ７１３のロジックレベル電圧信号をアナログスイッチアレイ７１５のアナログスイッチＡＳが動作可能なレベルへとレベル変換する。
【００４４】
アナログスイッチアレイ７１５のアナログスイッチＡＳは、レベルシフタ７１４を介して与えられるデコーダ７１３の出力でオン／オフ（開閉）される。
【００４５】
アナログスイッチアレイ７１５のアナログスイッチＡＳは、圧電素子１１２Ａの個別電極に接続され、駆動波形生成部７０１からの駆動波形ＰＶが入力されている。したがって、シリアル転送された画像データ（階調データ）と選択信号をデコーダ７１３でデコードした結果に応じてアナログスイッチＡＳがオンにする。これにより、駆動波形ＰＶを構成する所要の駆動信号である駆動パルス（あるいは波形要素）が通過して（選択されて）、圧電素子１１２Ａの個別電極に与えられる。
【００４６】
次に、本発明の第１実施形態における駆動波形と非吐出駆動波形及び吐出駆動波形について図７を参照して説明する。図７は同駆動波形の説明図である。なお、以下で説明する駆動波形は一例であって、本発明はこれに限定されるものではない。
【００４７】
この駆動波形ＰＶは、４つの駆動パルス（駆動信号）Ｐ１〜Ｐ４を時系列で含んでいる。駆動パルスＰ１は、液体を吐出させない程度にメニスカスを振動させる微駆動パルス（非吐出パルス）である。駆動パルスＰ２〜Ｐ４は、液体を吐出させる吐出パルスである。
吐出／非吐出を駆動するときには、駆動パルスＰ１は非吐出パルスＰ１と称し、駆動パルスＰ２〜Ｐ４は吐出パルスＰ２〜Ｐ４と称する。
【００４８】
そして、選択信号１〜４によって所要の駆動パルスＰ１〜Ｐ４を選択する。これにより、液体吐出ヘッドの圧電素子１１２Ａに印加される波形として、非吐出パルスＰ１で非吐出駆動波形を、吐出パルスＰ４で小滴用吐出駆動波形を、吐出パルスＰ３、Ｐ４で中滴用吐出駆動波形を、吐出パルスＰ２〜Ｐ４で大滴用吐出駆動波形を形成することができる。
【００４９】
つまり、本実施形態では、複数の駆動信号を生成出力し、複数の駆動信号の１又は２以上の駆動信号を選択することで、小滴、中滴及び大滴という大きさの異なる液滴を形成することができる。そして、駆動波形ＰＶの吐出パルスＰ４は、いずれの大きさの液滴を形成する場合にも共通して選択される駆動信号（吐出パルス）となる。
【００５０】
次に、本実施形態における駆動波形ＰＶの波形要素の詳細について図８を参照して説明する。図８は同説明に供する説明図である。
【００５１】
まず、駆動波形ＰＶは、上述したように、非吐出パルスＰ１、吐出パルスＰ２〜Ｐ４の４つの駆動パルスで構成されている。
【００５２】
ここで、吐出パルスＰ２、Ｐ３は、膨張波形要素（引き込み波形要素）ａ１と、保持波形要素ｂ１と、収縮波形要素（押し込み波形要素）ｃ１とを含む。
【００５３】
膨張波形要素ａ１は、中間電位Ｖｍから所定の電位まで立下がって個別液室１０６を膨張させる。保持波形要素ｂ１は、膨張波形要素ａ１による立下り電位を一定時間保持する。収縮波形要素ｃ１は、保持波形要素ｂ１で保持された電位からの中間電位Ｖｍまで立ち上がって個別液室１０６を収縮させて液体を吐出させる。
【００５４】
なお、ここでは、吐出パルスＰ２、Ｐ３が同じ波形である例で説明しているが、異なってもよい。
【００５５】
吐出パルスＰ４は、膨張波形要素（引き込み波形要素）ａ２と、保持波形要素ｂ２と、収縮波形要素（押し込み波形要素）ｃ２と、保持波形要素ｄ２と、膨張波形要素ｅ２とを含む。
【００５６】
膨張波形要素ａ２は、中間電位Ｖｍから所定の電位Ｖａまで立下がって個別液室１０６を膨張させる。保持波形要素ｂ２は、膨張波形要素ａ１による立下り電位Ｖａを一定時間保持する。収縮波形要素ｃ２は、保持波形要素ｂ２で保持された電位Ｖａから中間電位Ｖｍより高い電位Ｖｈまで立ち上がって個別液室１０６を収縮させて液体を吐出させる。保持波形要素ｄ２は、収縮波形要素ｃ２により立ち上がり電位Ｖｈを一定時間保持する。膨張波形要素ｅ２は、電位Ｖｈから中間電位Ｖｍまで立下がって個別液室１０６を初期状態まで膨張させる。
【００５７】
この駆動波形ＰＶにおいて、吐出パルスＰ４の膨張波形要素ａ２による立下り電位Ｖａと収縮波形要素ｃ２による立ち上がり電位Ｖｈとの差を波高値Ｖ１とする。
【００５８】
次に、第１実施形態における駆動波形の吐出パルスの収縮波形要素の波高値を変えないで膨張波形要素の立下り電位を変化させた駆動波形について図９も参照して説明する。図９は同説明に供する異なる駆動波形の説明図である。
【００５９】
基本駆動波形ＰＶ０は、図９（ａ）に示すように、吐出パルスＰ４の立下がり電位Ｖａを電位Ｖａ１とし、波高値Ｖ１が得られる収縮波形要素ｃ２の立ち上がり電位Ｖｈを電位Ｖｈ１としている。
【００６０】
また、第１駆動波形ＰＶ１は、図９（ｂ）に示すように、駆動波形ＰＶの最終段の駆動パルスであり、各滴サイズの滴形成に共通に選択される吐出パルスＰ４について、波高値Ｖ１を変化させないで、膨張波形要素ａ２による立下り電位Ｖａを高く変化させたものである。
【００６１】
つまり、第１駆動波形ＰＶ１は、吐出パルスＰ４の波高値Ｖ１を変化させないで、膨張波形要素ａ２による立下り電位Ｖａを電位Ｖａ２（Ｖａ２＞Ｖａ１）としている。膨張波形要素ａ２による立下り電位Ｖａを高くすることで、膨張波形要素ａ２による引き込み量が少なくなる。このとき、波高値Ｖ１を変化させないので、収縮波形要素ｃ２による立ち上がり電位Ｖｈは電位Ｖｈ２（Ｖｈ２＞Ｖｈ１）となり、初期位置を越えて押し込む押し込み量が多くなる。なお、初期位置とは、中間電位Ｖｍを与えているときの振動領域１３０の位置である。
【００６２】
これにより、第１駆動波形ＰＶ１の吐出パルスＰ４で吐出される液体量（吐出量）は、基本駆動波形ＰＶ０の吐出パルスＰ４で吐出される量よりも多くなる。
【００６３】
第２駆動波形ＰＶ２は、図９（ｃ）に示すように、駆動波形ＰＶの最終段の駆動パルスであり、各滴サイズの滴形成に共通に選択される吐出パルスＰ４について、波高値Ｖ１を変化させないで、膨張波形要素ａ２による立下り電位Ｖａを低く変化させたものである。
【００６４】
つまり、第２駆動波形ＰＶ２は、吐出パルスＰ４の波高値Ｖ１を変化させないで、膨張波形要素ａ２による立下り電位Ｖａを電位Ｖａ３（Ｖａ３＜Ｖａ１）としている。膨張波形要素ａ２による立下り電位Ｖａを低くすることで、膨張波形要素ａ２による引き込み量が多くなる。このとき、波高値Ｖ１を変化させないので、収縮波形要素ｃ２による立ち上がり電位Ｖｈは電位Ｖｈ３（Ｖｈ３＜Ｖｈ１）となり、初期位置を越えて押し込む押し込み量が少なくなる。
【００６５】
これにより、第２駆動波形ＰＶ２の吐出パルスＰ４で吐出される液体量（吐出量）は、基本駆動波形ＰＶ０の吐出パルスＰ４で吐出される量よりも少なくなる。
【００６６】
このような第１駆動波形ＰＶ１、第２駆動波形ＰＶ２は、例えば基本駆動波形ＰＶ０の駆動波形データを読み出して吐出パルスＰ４についてのみ駆動波形データを補正した後Ｄ／Ａ変換して生成することができる。
【００６７】
この構成では、駆動信号の収縮波形要素の波高値を変えないで、膨張波形要素の立下り電位を変化させる手段は、吐出パルスＰ４の部分の駆動波形データを補正する手段で構成される。
【００６８】
また、予め、基本駆動波形ＰＶ０、第１駆動波形ＰＶ１及び第２駆動波形ＰＶ２の少なくとも２つの駆動波形データを作成保持しておき、いずれかの駆動波形データを読み出してＤ／Ａ変換して生成することができる。
【００６９】
この構成では、駆動信号の収縮波形要素の波高値を変えないで、膨張波形要素の立下り電位を変化させる手段は、基本駆動波形ＰＶ０、第１駆動波形ＰＶ１及び第２駆動波形ＰＶ２のいずれかの駆動波形データを選択する手段で構成される。
【００７０】
本実施形態では、２以上の大きさの滴の形成に使用する駆動パルス（駆動信号）の立下り電位Ｖａを変化させているので、２以上の大きさの滴について吐出量を調整することができる。上記実施形態のように、大滴、中滴、小滴を形成可能とし、小滴の形成に使用する駆動パルスを中滴、大滴の形成にも使用する構成とすることで、大滴、中滴、小滴のいずれの吐出量も調整できる。
【００７１】
また、２以上の大きさの滴の形成に使用する駆動パルスは、液体の吐出に係る駆動パルス（駆動信号）のうちの最後段の駆動パルスとすることで、最後段の駆動パルスには制振波形要素を含ませることができるので、吐出安定性を確保しやすくなる。
【００７２】
次に、液体を吐出する装置における第１実施形態の各駆動波形の適用例について図１０を参照して説明する。図１０は同説明に供する付与部材の種類（媒体種別という。）とドット径の説明図である。
【００７３】
基本駆動波形ＰＶ０は、基準の付与部材（印刷媒体）について、図１０（ａ）に示すように、所望のドットゲイン（ドット径）が得られる液体量（これを「基準吐出量」という。）となる液滴を吐出する駆動波形である。
【００７４】
ここで、基準吐出量で吐出したときに目標ドット径に対して実際のドット径が小さくなる印刷媒体を使用する場合には、図１０（ｂ）に示すようにサテライトが視認されるようになったり、あるいは、印刷媒体上でスジが視認されやすくなる。
【００７５】
そこで、基本駆動波形ＰＶ０の全体に対して一律の倍率で電圧値補正を行うことでドット径を大きくしようとすると、サテライトが長くなったり、着弾位置精度が変化したり、吐出安定性の余裕度がなくなる。
【００７６】
これに対し、上述した第１駆動波形ＰＶ１のように、吐出パルスＰ４のみ波高値Ｖ１を変化させないで膨張波形要素ａ２の立下り電位Ｖａ２を基準駆動波形ＰＶ０の膨張波形要素ａ２の立下り電位Ｖａ１より高くして、引き込み量を少なくする。これにより、初期位置を越える押し込み量が多くなって吐出量が基準吐出量よりも多くなる。
【００７７】
このとき、波高値が変化していないので、吐出速度は大きく変化しないことから、サテライトや着弾位置精度の低下を抑制したまま吐出量を変化させることができる。
【００７８】
このように、部分的に吐出パルスの立下り電位を変化させて吐出量を変化させる構成は、特に、異なる種類のコート層を有する印刷媒体毎に少量の滴量（吐出量）変化を行う場合に有効である。
【００７９】
また、大きな異なる液滴の形成に共通して選択される吐出パルスについて立下り電位を変化させる構成とすることで、小滴、中滴、大滴のいずれについても吐出量を変化させることができる。
【００８０】
駆動波形は、波形構成が定まった場合、１つの吐出パルスの電圧値を少々変更しても吐出安定性への影響は軽微なため、本実施形態により、吐出特性（吐出速度、吐出安定性、サテライト長）をほとんど変えることなく、吐出量の調整ができるので、付与部材の種類によらず、所望のドット径のドットを形成することができる。
【００８１】
一方、基準吐出量で吐出したときに、図１０（ｃ）に示すように、目標ドット径に対して実際のドット径が大きくなる印刷媒体を使用する場合には、第２駆動波形ＰＶ２を使用することで、実際のドット径を目標ドット径に近づけることができる。
【００８２】
次に、媒体種別の判別による駆動波形の生成について図１１を参照して説明する。図１１は同説明に供する説明図である。
【００８３】
まず、記録解像度を選択し、媒体種別（大分類）を判別する。媒体種別（大分類）がコート紙であるときには、コート紙用基本駆動波形を選択し、媒体種別（大分類）がコート紙でないときには、普通紙用基本駆動波形を選択する。
【００８４】
次いで、媒体種別（小分類）を判別する。媒体種別（小分類）がドットゲイン大小に応じて、ドットゲイン情報（例えば補正テーブル又はスキャン情報）を参考にして、吐出パルスの立下り電位を補正して（変化させて）駆動波形を生成出力する。
【００８５】
なお、スキャン情報は、実際の媒体上でのドットを光学センサなどで読み取り、画像処理を行って実際のドット径を算出して得られたドット径情報である。
【００８６】
本願において、吐出される液体は、ヘッドから吐出可能な粘度や表面張力を有するものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００８７】
液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどを使用するものが含まれる。
【００８８】
また、「液体を吐出する装置」には、液体が付着可能なものに対して液体を吐出することが可能な装置だけでなく、液体を気中や液中に向けて吐出する装置も含まれる。
【００８９】
この「液体を吐出する装置」は、液体が付着可能なものの給送、搬送、排紙に係わる手段、その他、前処理装置、後処理装置なども含むことができる。
【００９０】
例えば、「液体を吐出する装置」として、インクを吐出させて用紙に画像を形成する装置である画像形成装置、立体造形物（三次元造形物）を造形するために、粉体を層状に形成した粉体層に造形液を吐出させる立体造形装置（三次元造形装置）がある。
【００９１】
また、「液体を吐出する装置」は、吐出された液体によって文字、図形等の有意な画像が可視化されるものに限定されるものではない。例えば、それ自体意味を持たないパターン等を形成するもの、三次元像を造形するものも含まれる。
【００９２】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【００９３】
上記「液体が付着可能なもの」の材質は、紙、糸、繊維、布帛、皮革、金属、プラスチック、ガラス、木材、セラミックスなど液体が一時的でも付着可能であればよい。
【００９４】
また、「液体を吐出する装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００９５】
また、「液体を吐出する装置」としては、他にも、用紙の表面を改質するなどの目的で用紙の表面に処理液を塗布するために処理液を用紙に吐出する処理液塗布装置、原材料を溶液中に分散した組成液を、ノズルを介して噴射させて原材料の微粒子を造粒する噴射造粒装置などがある。
【００９６】
なお、本願の用語における、画像形成、記録、印字、印写、印刷、造形等はいずれも同義語とする。
【符号の説明】
【００９７】
５  液体吐出ユニット
１０  媒体
５１  ヘッドユニット
１００  液体吐出ヘッド（ヘッド）
１０６  個別液室
５００  制御部
５０２  印刷制御部
５０３  ヘッドドライバ
７０１  駆動波形生成部
７０２  データ転送部
【図１】
2018001734.tif 000003
【図２】
2018001734.tif 000004
【図３】
2018001734.tif 000005
【図４】
2018001734.tif 000006
【図５】
2018001734.tif 000007
【図６】
2018001734.tif 000008
【図７】
2018001734.tif 000009
【図８】
2018001734.tif 000010
【図９】
2018001734.tif 000011
【図１０】
2018001734.tif 000012
【図１１】
2018001734.tif 000013